(57)【要約】【課題】簡易な構造であって組み立てが容易なコンデンサ内蔵型のキャンドモータ、及び液中ポンプ装置を提供する。【解決手段】液中ポンプを駆動するためのキャンドモータが提案される。前記キャンドモータは、円筒状のモータフレームと、前記モータフレームの内部に設置される円筒状のキャンと、前記モータフレームと前記キャンとの間のステータ室に配置されるステータと、コンデンサを有し、前記ステータ室における前記ステータの上方に配置されるコンデンサユニットと、を備え、前記コンデンサユニットは、前記ステータ及び前記コンデンサへの電源供給のための電源接続部を上面に有し、前記ステータと電気的に接続するための端子部を下面に有する。【選択図】図２
2020103010.tif 000002
【特許請求の範囲】
【請求項１】
液中ポンプを駆動するためのキャンドモータであって、
円筒状のモータフレームと、
前記モータフレームの内部に設置される円筒状のキャンと、
前記モータフレームと前記キャンとの間のステータ室に配置されるステータと、
コンデンサを有し、前記ステータ室における前記ステータの上方に配置されるコンデンサユニットと、
を備え、
前記コンデンサユニットは、前記ステータ及び前記コンデンサへの電源供給のための電源接続部を上面に有し、前記ステータと電気的に接続するための端子部を下面に有する、
キャンドモータ。
【請求項２】
前記ステータの上方には、前記コンデンサユニットを支持するための支持台が設けられ、
前記支持台には、前記コンデンサユニットと前記ステータとを電気的に接続するための端子部が設けられている、
請求項１に記載のキャンドモータ。
【請求項３】
前記コンデンサユニットと前記支持台との一方は凸部を有し、前記コンデンサユニットと前記支持台との他方は前記凸部と対応する凹部を有する、請求項２に記載のキャンドモータ。
【請求項４】
前記コンデンサユニットと前記支持台との少なくとも一方は、前記コンデンサと前記ステータとの間に位置する断熱材を備える、請求項２又は３に記載のキャンドモータ。
【請求項５】
前記コンデンサユニットと前記支持台とは、前記コンデンサユニットが前記支持台に支持されたときに互いに係合する係合部を有する、請求項２から４の何れか１項に記載のキャンドモータ。
【請求項６】
前記コンデンサユニットは環状である、請求項１から５の何れか１項に記載のキャンドモータ。
【請求項７】
前記コンデンサは、周方向における一部が切り欠かれた環状であり、
前記コンデンサユニットの前記端子部と前記電源接続部とは、前記コンデンサが切り欠かれている領域に設けられる、
請求項１から６の何れか１項に記載のキャンドモータ。
【請求項８】
前記コンデンサは、環状であり、
電源供給用の電気配線が、前記コンデンサの内部に挿通される、
請求項１から６の何れか１項に記載のキャンドモータ。
【請求項９】
前記コンデンサユニットは、制御基板を有する制御部を備える、請求項１から８の何れか１項に記載のキャンドモータ。
【請求項１０】
請求項１から９の何れか１項に記載のキャンドモータと、当該キャンドモータに連結される液中ポンプとを備える、液中ポンプ装置。
【発明の詳細な説明】
【技術分野】
【０００１】
本発明は、キャンドモータ、及び液中ポンプ装置に関する。
【背景技術】
【０００２】
従来から、深井戸等から取水するためのポンプ装置として、井戸に沿って鉛直方向に設置される細長い液中ポンプ装置が用いられている。液中ポンプ装置は、水を汲み上げるためのポンプ本体と、このポンプ本体を駆動するためのモータとを備える。液中ポンプ装置におけるモータとしては、ステータ室とロータ室とがキャンで分離された、いわゆるキャンドモータが用いられる場合がある。
【０００３】
液中ポンプ装置では、モータを始動させ、且つ運転性能を向上させる為に、コンデンサを使用する場合がある。こうしたコンデンサは、液中ポンプ装置の外部（地上）に設置されたり、キャンドモータに内蔵されたりする。後者の一例として、キャンドモータのステータ室内のステータの上方にコンデンサが配置されたキャンドモータが知られている。モータフレーム、キャン、及びフレーム側板によって形成されるステータ室内にステータ巻線およびコンデンサが内蔵されることにより、コンデンサ用の配電盤が不要となる。このため、コンデンサを内蔵したキャンドモータは、電源接続の利便性を高くすることができ、設置が容易であると共に装置全体の小型化を図ることができる。
【先行技術文献】
【特許文献】
【０００４】
【特許文献１】米国特許第６３５９３５３号明細書
【発明の概要】
【発明が解決しようとする課題】
【０００５】
上記したようなコンデンサを内蔵したキャンドモータを組み立てる際には、ステータの主巻線と電源との接続、コンデンサとステータの補巻線との接続、及びコンデンサと電源との接続が求められる。ここで、一般に、キャンドモータを組み立てる際には、まずステータ室にステータが配置される。その後、コンデンサとステータの補巻線とが電気的に接続され、コンデンサがステータの上方に配置される。そして、樹脂が封入されることにより、コンデンサがステータの上方に固定される。しかしながら、こうした場合、ステータ室内においてステータの上方にコンデンサが固定されているため、ステータの主巻線と電源とを接続する処理が煩雑となり、製造コスト増加の要因となる。
【０００６】
本発明は上記した問題に鑑みてなされたものであり、簡易な構造であって組み立てが容易なコンデンサ内蔵型のキャンドモータ、及び液中ポンプ装置を提供することを目的とする。
【課題を解決するための手段】
【０００７】
本発明の一形態によれば、液中ポンプを駆動するためのキャンドモータが提案される。前記キャンドモータは、円筒状のモータフレームと、前記モータフレームの内部に設置される円筒状のキャンと、前記モータフレームと前記キャンとの間のステータ室に配置されるステータと、コンデンサを有し、前記ステータ室における前記ステータの上方に配置されるコンデンサユニットと、を備え、前記コンデンサユニットは、前記ステータ及び前記コンデンサへの電源供給のための電源接続部を上面に有し、前記ステータと電気的に接続するための端子部を下面に有する。こうしたキャンドモータによれば、ステータの上方にコンデンサユニットを配置することにより、下面の端子部においてコンデンサユニットと
ステータとを電気的に接続することができる。そして、コンデンサユニットの上面には、ステータ及びコンデンサへの電源供給のための電源接続部が設けられている。このため、キャンドモータを容易に組み立てることができる。
【図面の簡単な説明】
【０００８】
【図１】本実施形態の液中ポンプ装置の外観を示す図である。
【図２】本実施形態のキャンドモータの断面を示す図である。
【図３】キャンドモータにおける電気的接続を示す回路図である。
【図４】第１実施形態のコンデンサユニットを示す図である。
【図５】第２実施形態のコンデンサユニットを示す図である。
【発明を実施するための形態】
【０００９】
以下、本発明の一実施形態を図面に基づいて詳細に説明する。なお、以下の説明はあくまでも一例を示すものであって、本願発明の技術的範囲を以下の実施形態に限定する趣旨ではない。また、各実施形態を構成する構成要素は任意に組み合わせることが可能であり、以下に説明する組み合わせに限定されるものではない。
【００１０】
［液中ポンプ装置］
図１は、本実施形態の液中ポンプ装置の外観を示す図である。図１に示すように、液中ポンプ装置５００は、液封式のキャンドモータ１０と、キャンドモータ１０に接続された液中ポンプ２００と、を備える。この液中ポンプ装置５００は、一例として深井戸の水を汲み上げるのに用いられる。
【００１１】
液中ポンプ２００は、キャンドモータ１０の出力軸６３に接続された駆動軸２０２と、駆動軸２０２に取り付けられた複数枚の羽根２０４と、を有している。液中ポンプ２００は、キャンドモータ１０の出力軸６３の回転駆動に伴って駆動軸２０２及び羽根２０４が回転し、これによって水を汲み上げる。
【００１２】
［キャンドモータの全体構成］
図２は、本実施形態のキャンドモータの断面を示す図である。図２に示すように、キャンドモータ１０は、出力軸６３と一体に回転するロータ６１と、ロータ６１の外周側に配置されるステータ５１と、コンデンサ４１と、を有する。また、キャンドモータ１０は、モータフレーム１１と、キャン２１と、フレーム側板１３ａ，１３ｂと、ブラケット１５ａ，１５ｂと、を有する。
【００１３】
モータフレーム１１は、円筒状であり、キャンドモータ１０の外側面を画定する。モータフレーム１１の内周側には、ステータ５１が固定される。また、ステータ５１の内周側には、薄肉の円筒状のキャン２１が配置される。モータフレーム１１とキャン２１とは、同一の円筒軸ＣＡを中心とした同心状に配置される。ステータ５１の円筒軸ＣＡ方向の両側には、負荷側（上方）と反負荷側（下方）のフレーム側板１３ａ，１３ｂが配置される。フレーム側板１３ａ，１３ｂは、高さが低く肉厚の円筒形状であり、円筒軸ＣＡに沿って見て、略真円の外周面および略真円の内周面を有する。フレーム側板１３ａ，１３ｂは、モータフレーム１１の内周面と、キャン２１の外周面とに挟まれるように配置され、溶接部ａ１，ａ２，ｂ１，ｂ２で固定されている。言い換えれば、フレーム側板１３ａ，１３ｂは、キャン２１の円筒軸ＣＡ方向両端の外周側に配置される。そして、モータフレーム１１と、キャン２１と、フレーム側板１３ａ，１３ｂとによって、ステータ５１が配置されるステータ室３１が形成される。こうした構成により、ステータ室３１が完全に密封されたキャンド構造となり、外部からの液体等の侵入が防止される。
【００１４】
ステータ室３１には、ステータ５１と、コンデンサ４１を含むコンデンサユニット４０
と、コンデンサユニット４０を支持するための支持台４８とが設置されている。ステータ５１は、円筒状のステータコア５２とステータ巻線５５とを有し、モータフレーム１１の内周面に取り付けられている。ステータコア５２の上下両端部には、上方及び下方ステータ巻線端５５ａ、５５ｂが突出しており、これらの各ステータ巻線端５５ａ、５５ｂが発熱源となる。ステータ５１の上方には支持台４８が設けられている。支持台４８には、コンデンサユニット４０とステータ５１とを電気的に接続するための端子部５０が設けられている。支持台４８の更に上方にはコンデンサユニット４０が配置され、コンデンサユニット４０は、支持台４８によって支持される。コンデンサユニット４０は、全体として環状（円筒状）であり、ステータ５１及びコンデンサ４１への電源供給のための電源接続部４５を上面に有し、端子部５０と電気的に接続するための端子部４７を下面に有する。そして、コンデンサユニット４０が支持台４８に支持されることにより、端子部４７と端子部５０とが電気的に接続される。これにより、コンデンサユニット４０とステータ５１とが電気的に接続される。
【００１５】
支持台４８は、図１に示すようにコンデンサユニット４０の下面の形状に対応した支持面を有するとよい。これにより、コンデンサユニット４０の位置決めが容易となる。また、支持台４８は、コンデンサ４１から生じる熱をモータフレーム１１とキャン２１との少なくとも一方に伝達して発散できるように、熱伝導性が高い金属または樹脂などで形成されるとよい。
【００１６】
コンデンサユニット４０と支持台４８とは、コンデンサユニット４０が支持台４８に支持されたときに互いに係合する係合部を有するとよい。係合部は、コンデンサユニット４０と支持台４８とが円筒軸ＣＡ方向に離れるのを防止するように構成されてもよい。一例として、コンデンサユニット４０に第１の嵌合部が設けられ、支持台４８に第１の嵌合部に対応する第２の嵌合部が設けられ、第１及び第２の嵌合部が互いに嵌合するものとしてもよい。また、ボルト等の締結具によって、コンデンサユニット４０と支持台４８とが係合されてもよい。さらに、接着剤によってコンデンサユニット４０と支持台４８とが固定されてもよい。こうした構成により、コンデンサユニット４０の端子部４７と支持台４８の端子部５０との電気的な接続を強固なものとすることができる。なお、コンデンサユニット４０は、支持台４８に支持された状態で、樹脂などが封入されて固定されてもよい。
【００１７】
また、支持台４８は、コンデンサ４１とステータ５１との間に位置する断熱材４９を有している。断熱材４９としては、公知の断熱材を用いることができ、例えば芳香族ポリアミドにロックウールを組み合わせて板状にしたようなものが考えられる。断熱材４９の厚さは、設置位置のスペースの問題や加工性を考慮して、０．５mmから１．０mm程度が適当である。但し、これ以外の厚さであっても利用することは可能である。断熱材４９は、ステータ室３１に配置できるように、環状の形状を有している。こうした断熱材４９により、ステータ５１からの熱がコンデンサ４１に作用することを抑制できる。なお、本実施形態では、断熱材４９が支持台４８に設けられるものとしたが、これに代えて、又は加えて、コンデンサ４１とステータ５１との間に位置する断熱材をコンデンサユニット４０が備えるものとしてもよい。
【００１８】
上方及び下方フレーム側板１３ａ，１３ｂのステータ室３１よりも円筒軸ＣＡ方向の外側には、それぞれ負荷側（上方）と反負荷側（下方）のブラケット１５ａ，１５ｂがボルト１７ａ，１７ｂによってモータフレーム１１に固定されている。ブラケット１５ａ，１５ｂは、フレーム側板１３ａ，１３ｂとの隙間をシールするためのＯリング８１ａ，８１ｂを備える。ブラケット１５ａ，１５ｂとキャン２１とによって、キャン２１の内側には、ロータ６１が配置されるロータ室が形成される。ロータ室には封入液６５が充填されている。ロータ室内の封入液６５は、外圧への対策、各軸受１９ａ〜１９ｃの潤滑及び冷却として機能する。
【００１９】
負荷側のブラケット１５ａには、出力軸６３を軸支するためのラジアル軸受１９ａが設けられている。また、負荷側のブラケット１５ａには、出力軸６３が貫通可能な貫通孔が形成されている。貫通孔には、封入液が外部に漏れたり、キャンドモータ１０の外部の水等がキャンドモータ１０の内部へ侵入したりするのを防止する軸封機構８３が設けられている。出力軸６３は、貫通孔を通ってキャンドモータ１０の外部へ突出し、液中ポンプ２００の駆動軸２０２と接続される。なお、出力軸６３には、液中ポンプ２００の駆動軸２０２と接続するためのスプラインまたはキーが形成されている。反負荷側のブラケット１５ｂには、出力軸６３を軸支するためのラジアル軸受１９ｂ、及びスラスト軸受１９ｃが設けられている。また、反負荷側のブラケット１５ｂには、ロータ室内の圧力変動を吸収するダイヤフラム等の調圧機構８５が設けられている。
【００２０】
また、上方フレーム側板１３ａには、コネクタ端子７１が取り付けられている。このコネクタ端子７１は、外部電源（図示略）からステータ５１とコンデンサ４１に電力を供給するためのものである。コネクタ端子７１は、コンデンサユニット４０の電源接続部４５に電気的に接続される。電源接続部４５は、コンデンサユニット４０の上面に設けられているため、コネクタ端子７１と電源接続部４５との電気的接続を容易に行うことができる。なお、本実施形態では、コネクタ端子７１は、コンデンサユニット４０と別の部材として構成されるものとしたが、コンデンサユニット４０とコネクタ端子７１とが一体化され、電源接続部がコネクタ端子７１を含むものとしてもよい。
【００２１】
［キャンドモータの回路図］
次に、図３に基づいて、キャンドモータ１０における電気的接続を示す回路図について説明する。本実施形態のキャンドモータ１０は単相ＰＳＣモータである。このキャンドモータ１０のステータ巻線５５は、主巻線５６と補巻線５７の各一組で構成されている。コンデンサユニット４０の電源接続部４５は、外部電源（図示せず）に接続されるコネクタ端子７１に対応して、第１、第２接続部４５ａ、４５ｂを有する。また、コンデンサユニット４０の端子部４７は、第１〜第３接続部４７ａ〜４７ｃを有する。さらに、支持台４８の端子部５０は、コンデンサユニット４０の端子部４７に対応して、第１〜第３接続部５０ａ〜５０ｃを有する。なお、図３では、巻線保護用のプロテクタ７４（図２では不図示）が示されている。プロテクタ７４は、公知の保護回路を採用することができ、コンデンサユニット４０に内蔵されてもよい。
【００２２】
図３に示すように、コネクタ端子７１は、図示しない外部電源からの電源配線に接続される。コネクタ端子７１は、コンデンサユニット４０の電源接続部４５（第１接続部４５ａ、第２接続部４５ｂ）に電気的に接続される。電源接続部４５の第１接続部４５ａからの配線７５は、プロテクタ７４を介して端子部４７（第１接続部４７ａ）に接続される。また、電源接続部４５の第２接続部４５ｂからの配線７６は、分岐されて端子部４７（第２接続部４７ｂ）とコンデンサ４１とのそれぞれに接続される。コンデンサ４１の配線７６が接続された一端（図３中上方）とは異なる他端（図３中下方）は、端子部４７（第３接続部４７ｃ）に接続される（配線８０参照）。コンデンサユニット４０における端子部４７の第１〜第３接続部４７ａ〜４７ｃは、支持台４８における端子部５０の第１〜第３接続部５０ａ〜５０ｃとそれぞれに電気的に接続される。そして、第１接続部５０ａからの配線７７は、分岐されてステータ５１の主巻線５６と補巻線５７とに接続される。また、第２接続部５０ｂからの配線７８は主巻線５６に接続され、第３接続部５０ｃからの配線７９は補巻線５７に接続される。こうした構成により、コンデンサ４１が補巻線５７と電気的に直列に接続され、ステータ５１の主巻線５６と、コンデンサ４１及び補巻線５７とが外部電源に対して電気的に並列に接続される。
【００２３】
［コンデンサユニットの構成］
図４は、第１実施形態のコンデンサユニット４０を示す図である。図４に示すように、コンデンサユニット４０は、全体的に肉厚の環状（円筒状）である。また、図４に示す例では、コンデンサ４１は、コンデンサユニット４０の外形と略同一の環状であり、電源供給用の配線７５，７６，８０が内部に挿通されている。ここで、配線７５，７６，８０は、図３の回路図における配線７５，７６，８０に対応する。具体的には、コンデンサ４１は、円筒軸ＣＡ方向に伸びる貫通孔が形成されており、その貫通孔に配線７５，７６，８０が挿通されている。そして、貫通孔には樹脂等が装填され、配線７５，７６，８０がコンデンサ４１と一体化されている。配線７５，７６は、コンデンサユニット４０（コンデンサ４１）の上方に伸び、コンデンサユニット４０の上面に設けられた電源接続部４５（第１、第２接続部４５ａ，４５ｂ）に接続される。また、配線７５，７６，８０は、コンデンサユニット４０（コンデンサ４１）の下方に伸び、コンデンサユニット４０の下面に設けられた端子部４７（第１〜第３接続部４７ａ〜４７ｃ）に接続される。図４に示す例では、第１、第２接続部４５ａ，４５ｂ、及び第１〜第３接続部４７ａ〜４７ｃのそれぞれは、コンデンサユニット４０の上面および下面から突出する凸部となっている。この場合には、支持台４８の端子部５０、及びコネクタ端子７１の図示しない接続部が、凸部に対応した凹部になっているとよい。こうすれば、コンデンサユニット４０と、支持台４８およびコネクタ端子７１との位置合わせ及び接続を容易にすることができ、キャンドモータ１０を組み立てる作業を容易にすることができる。また、図４に示す例では、電源接続部４５と端子部５０とで凸部の数が異なるため、コンデンサユニット４０の向きを誤って配置することも抑制できる。
【００２４】
図５は、第２実施形態のコンデンサユニット４０を示す図である。図５に示すコンデンサユニット４０は、図４に示す例と同様に、全体的に肉厚の環状（円筒状）である。ただし、図５に示す例では、コンデンサ４１が、周方向における一部が切り欠かれた環状である点で、図４に示す例と異なる。図５に示すコンデンサユニット４０では、コンデンサ４１が切り欠かれている領域４２に配線７５，７６，８０が設けられ、配線７５，７６，８０が固定されるように、領域４２に樹脂等が充填されている。そして、領域４２の上面には、配線７５，７６が電気的に接続される電源接続部４５が設けられ、領域４２の下面には、配線７５，７６，８０が電気的に接続される端子部４７が設けられている。こうした図５に示すコンデンサユニット４０においても、図４に示すコンデンサユニット４０と同様に使用することができ、同様の効果を奏することができる。
【００２５】
また、図５に示す例では、制御基板を有する制御部９０が領域４２に設けられている。制御部９０としては、ＣＰＵ（Central Processing Unit）を中心としたマイクロプロセッサを構成する回路基板、又は専用の回路基板などを採用することができる。制御部９０は、キャンドモータ１０を制御するために設けられている。一例として、制御部９０は、所定条件に応じてコンデンサ４１及び補巻線５７への電力供給を遮断するように構成されるとよい。例えば、制御部９０は、図示しない温度センサからの検出信号又はバイメタルを通じた信号等に基づいて、コンデンサ４１、ステータ５１、又はキャンドモータ１０のその他の構成の温度が所定温度以上に至ったときに、コンデンサ４１及び補巻線５７への電力供給を遮断するように構成される。ただし、こうした例に限定されず、制御部９０は、キャンドモータ１０の運転情報に関する情報を取得してキャンドモータ１０の制御を実行してもよい。また、制御部９０は、キャンドモータ１０の運転情報に関する情報を取得し、取得した情報を電力線通信（ＰＬＣ）等により外部に送信するように構成されてもよい。なお、図５に示す例では、制御部９０が、コンデンサ４１の切り欠かれている領域４２に設けられるものとしたが、こうした例には限定されない。制御部９０は、図４に示す例において、配線７５，７６，８０と共にコンデンサ４１の内部に設けられるものとしてもよい。また、制御部９０は、コンデンサ４１の上方または下方に取り付けられてもよい。このように制御部９０がコンデンサユニット４０と一体化されることにより、キャンドモータ１０の小型化を図ることができる。
【００２６】
なお、図４に示す例では、電源供給の電気配線がコンデンサ４１の内部に挿通されものとし、図５に示す例では、コンデンサ４１が、周方向における一部が切り欠かれた環状であるものとしたが、こうした例には限定されない。例えば、コンデンサ４１に、外周側と内周側との一方に連通すると共に内周側と外周側との他方には連通しない円筒軸ＣＡ方向に伸びる切り欠きが形成され、当該切り欠かれた領域に電気配線が設けられてもよい。
【００２７】
なお、上記した例では、第１、第２接続部４５ａ，４５ｂ、及び第１〜第３接続部４７ａ〜４７ｃが凸部になっているものとした。しかしながら、こうした例に限定されず、第１、第２接続部４５ａ，４５ｂ、及び第１〜第３接続部４７ａ〜４７ｃの少なくとも１つが凹部または平坦とされてもよい。こうした場合にも、第１、第２接続部４５ａ，４５ｂ、及び第１〜第３接続部４７ａ〜４７ｃの形状に合わせて、支持台４８の端子部５０、及びコネクタ端子７１の図示しない接続部の形状が定められるとよい。また、コンデンサユニット４０は、端子部４７に代えて、又は加えて、下面に凸部および／または凹部を有してもよい。そして、支持台４８は、コンデンサユニット４０の凸部および／または凹部に対応した凹部および／または凸部を有してもよい。こうした例においても、コンデンサユニット４０と支持台４８との位置合わせを容易にすることができ、キャンドモータ１０の組み立てを容易にすることができる。
【００２８】
以上説明したキャンドモータ１０及び液中ポンプ２００によれば、ステータ室３１におけるステータ５１上方に、コンデンサ４１を有するコンデンサユニット４０が配置されている。そして、コンデンサユニット４０が、ステータ５１及びコンデンサ４１への電源供給のための電源接続部４５を上面に有し、ステータ５１と電気的に接続するための端子部４７を下面に有する。これにより、ステータ５１の上方にコンデンサユニット４０を配置したときに、支持台４８の端子部５０とコンデンサユニット４０の端子部４７とを電気的に接続させることができ、キャンドモータ１０及び液中ポンプ２００を容易に組み立てることができる。
【００２９】
以上説明した本実施形態は、以下の形態としても記載することができる。
［形態１］形態１によれば、液中ポンプを駆動するためのキャンドモータが提案され、前記キャンドモータは、円筒状のモータフレームと、前記モータフレームの内部に設置される円筒状のキャンと、前記モータフレームと前記キャンとの間のステータ室に配置されるステータと、コンデンサを有し、前記ステータ室における前記ステータの上方に配置されるコンデンサユニットと、を備え、前記コンデンサユニットは、前記ステータ及び前記コンデンサへの電源供給のための電源接続部を上面に有し、前記ステータと電気的に接続するための端子部を下面に有する。形態１によれば、ステータの上方にコンデンサユニットを配置することにより、下面の端子部においてコンデンサユニットとステータとを電気的に接続することができる。そして、コンデンサユニットの上面には、ステータ及びコンデンサへの電源供給のための電源接続部が設けられている。このため、キャンドモータを容易に組み立てることができる。
【００３０】
［形態２］形態２によれば、形態１のキャンドモータにおいて、前記ステータの上方には、前記コンデンサユニットを支持するための支持台が設けられ、前記支持台には、前記コンデンサユニットと前記ステータとを電気的に接続するための端子部が設けられている。形態２によれば、支持台にコンデンサユニットを配置したときに各々の端子部を電気的に接続することができる。
【００３１】
［形態３］形態３によれば、形態２のキャンドモータにおいて、前記コンデンサユニットと前記支持台との一方は凸部を有し、前記コンデンサユニットと前記支持台との他方は前記凸部と対応する凹部を有する。こうすれば、コンデンサユニットと支持台との位置合わ
せを容易にすることができる。
【００３２】
［形態４］形態４によれば、形態２又は３のキャンドモータにおいて、前記コンデンサと前記ステータとの間に位置する断熱材を備える。形態４によれば、ステータからの熱がコンデンサに影響することを抑制できる。
【００３３】
［形態５］形態５によれば、形態１から４のキャンドモータにおいて、前記コンデンサユニットと前記支持台とは、前記コンデンサユニットが前記支持台に支持されたときに互いに係合する係合部を有する。形態５によれば、支持台の端子部とコンデンサユニットの端子部との電気的接続を強固にすることができる。
【００３４】
［形態６］形態６によれば、形態１から５のキャンドモータにおいて、前記コンデンサユニットは環状である。形態６によれば、ステータ室の限られたスペース内に効率よくコンデンサユニットを配置することができる。
【００３５】
［形態７］形態７によれば、形態１から６のキャンドモータにおいて、前記コンデンサは、周方向における一部が切り欠かれた環状であり、前記コンデンサユニットの前記端子部と前記電源接続部とは、前記コンデンサが切り欠かれている領域に設けられる。
【００３６】
［形態８］形態８によれば、形態１から６のキャンドモータにおいて、前記コンデンサは、環状であり、電源供給用の電気配線が、前記コンデンサの内部に挿通される。
【００３７】
［形態９］形態９によれば、形態１から８のキャンドモータにおいて、前記コンデンサユニットは、制御基板を有する制御部を備える。形態９によれば、ステータ室に制御部を配置することができ、キャンドモータの小型化を図ることができる。
【００３８】
［形態１０］形態１０によれば、形態１から９の何れか１つに記載のキャンドモータと、当該キャンドモータに連結されるポンプとを備える、液中ポンプ装置が提案される。形態１０によれば、上記したキャンドモータと同様の効果を奏することができる。
【００３９】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【００４０】
１０…キャンドモータ
１１…モータフレーム
２１…キャン
３１…ステータ室
４０…コンデンサユニット
４１…コンデンサ
４５…電源接続部
４７…端子部
４８…支持台
４９…断熱材
５０…端子部
５１…ステータ
５２…ステータコア
５５…ステータ巻線
５６…主巻線
５７…補巻線
６１…ロータ
６３…出力軸
７１…コネクタ端子
７５〜８０…配線
９０…制御部
２００…液中ポンプ
５００…液中ポンプ装置
ＣＡ…円筒軸
【図１】
2020103010.tif 000003
【図２】
2020103010.tif 000004
【図３】
2020103010.tif 000005
【図４】
2020103010.tif 000006
【図５】
2020103010.tif 000007